(57)【要約】【課題】通信システムにおけるユーザ端末の情報取得方法および装置を提供する。【解決手段】ユーザ端末が場所情報を含むスケジュール情報を登録し、外部サーバから場所情報に対応するサービス情報の受信時、ユーザ端末がスケジュール情報にサービス情報を追加し、スケジュール情報の検索時、ユーザ端末がサービス情報を表示するように構成される。本発明によれば、ユーザ端末のユーザが別個に情報の検索を行ったり情報記録を行ったりする必要なく、ユーザ端末でスケジュール情報に対応して位置ベース情報を自動的に追加して管理することができる。【選択図】図１０
2013021691.tif 000002
【特許請求の範囲】
【請求項１】
通信システムにおけるユーザ端末の情報取得方法であって、
ユーザ端末が場所情報を含むスケジュール情報を登録する登録ステップと、
外部サーバから前記場所情報に対応するサービス情報の受信時、前記ユーザ端末が前記スケジュール情報に前記サービス情報を追加する追加ステップと、
前記スケジュール情報の検索時、前記ユーザ端末が前記サービス情報を表示する表示ステップと、
を含むことを特徴とする情報取得方法。
【請求項２】
前記登録ステップは、
前記ユーザ端末が前記サービス情報を管理する外部サーバに前記場所情報を送信して、前記サービス情報を要請するステップを含むことを特徴とする請求項１に記載の情報取得方法。
【請求項３】
前記登録ステップは、
前記ユーザ端末が前記スケジュール情報を管理するためのカレンダーアプリケーションと連係された外部サーバに前記スケジュール情報を送信するステップを含むことを特徴とする請求項２に記載の情報取得方法。
【請求項４】
前記登録ステップは、
前記スケジュール情報で前記場所情報に該当するテキストを分析して座標データを検出するステップと、
前記場所情報として前記座標データを登録するステップと、
をさらに含むことを特徴とする請求項３に記載の情報取得方法。
【請求項５】
前記表示ステップは、
前記ユーザ端末が前記サービス情報をソーシャルネットワーキングサービスを介して他のユーザ端末と共有するステップと、
前記ユーザ端末が前記サービス情報の電話番号またはホームページアドレスを用いて、前記サービス提供者に接続するステップと、のうち少なくともいずれか１つを含むことを特徴とする請求項４に記載の情報取得方法。
【請求項６】
前記場所情報が受信されれば、前記外部サーバが前記場所情報に相応するサービス提供者にサービス情報を要請するステップと、
前記サービス提供者から前記サービス情報の受信時、前記外部サーバが前記ユーザ端末に前記サービス情報を送信するステップと、
をさらに含むことを特徴とする請求項５に記載の情報取得方法。
【請求項７】
前記場所情報が受信されれば、前記外部サーバが前記場所情報に相応するサービス提供者に対応して、予め登録されたサービス情報を前記ユーザ端末に送信するステップをさらに含むことを特徴とする請求項６に記載の情報取得方法。
【請求項８】
前記場所情報が受信されれば、前記外部サーバが他のユーザ端末に前記場所情報に相応するサービス提供者のサービス情報を要請するステップと、
前記他のユーザ端末から前記サービス情報の受信時、前記外部サーバが前記ユーザ端末に前記サービス情報を送信するステップと、
をさらに含むことを特徴とする請求項７に記載の情報取得方法。
【請求項９】
通信システムにおけるユーザ端末の情報取得装置であって、
外部サーバに接続するための無線通信部と、
場所情報を含むスケジュール情報を登録し、前記外部サービスサーバが前記場所情報に対応するサービス情報の受信時、前記スケジュール情報に前記サービス情報を追加するための制御部と、
前記制御部の制御下で前記スケジュール情報の検索時、前記サービス情報を表示するための表示部と、
を含むことを特徴とする情報取得装置。
【請求項１０】
前記制御部は、
前記サービス情報を管理する外部サーバに前記場所情報を送信して、前記サービス情報を要請することを特徴とする請求項９に記載の情報取得装置。
【請求項１１】
前記制御部は、
前記スケジュール情報の登録時、前記スケジュール情報を管理するためのカレンダーアプリケーションと連係された外部サーバに前記スケジュール情報を送信することを特徴とする請求項１０に記載の情報取得装置。
【請求項１２】
前記制御部または外部サーバは、
前記場所情報に該当するテキストを分析して座標データを検出し、前記場所情報として前記座標データを登録することを特徴とする請求項１１に記載の情報取得装置。
【請求項１３】
前記外部サーバは、
前記場所情報が受信されれば、前記場所情報に相応するサービス提供者にサービス情報を要請し、前記サービス提供者から前記サービス情報の受信時、前記ユーザ端末に前記サービス情報を送信することを特徴とする請求項１２に記載の情報取得装置。
【請求項１４】
前記外部サーバは、
前記場所情報が受信されれば、前記場所情報に相応するサービス提供者に対応して、予め登録されたサービス情報を前記ユーザ端末に送信することを特徴とする請求項１３に記載の情報取得装置。
【請求項１５】
前記外部サーバは、
前記場所情報が受信されれば、ソーシャルネットワーキングサービスを介して他のユーザ端末に前記場所情報に相応するサービス提供者のサービス情報を要請し、前記他のユーザ端末から前記サービス情報の受信時、前記ユーザ端末に前記サービス情報を送信することを特徴とする請求項１４に記載の情報取得装置。
【発明の詳細な説明】
【技術分野】
【０００１】
本発明は、通信システムに関し、特に、通信システムにおけるユーザ端末の情報取得方法および装置に関する。
【背景技術】
【０００２】
一般的に、通信システムにおけるユーザ端末は、多様な機能が付加されて複合的な機能を行う。すなわち、現在のユーザ端末は、通話機能の他に、メッセージ送受信機能、無線インターネット機能、電話帳管理機能、スケジュール管理機能、ナビゲーション機能などの各種の便利な機能を提供している。このとき、ユーザ端末は、スケジュール管理機能を用いて旅行、ショッピング、食事などのようなユーザのスケジュールをスケジュール情報として格納して管理する。そして、ユーザ端末は、無線インターネット機能を用いてユーザの要求情報を検索する。すなわち、ユーザ端末は、ユーザの要請によって特定場所と関連する付加情報、例えば、旅行地の食堂やホテルなどの電話番号、ホームページアドレス、価格などを検索することができる。
【発明の概要】
【発明が解決しようとする課題】
【０００３】
ところが、上記のようなユーザ端末は、複数の機能の間で情報を連係させることができないという問題点がある。すなわち、ユーザ端末は、スケジュール情報と共に、スケジュール情報と関連する場所の付加情報を連係させて管理していない。これにより、ユーザ端末の利用効率性が低下する。言い換えれば、ユーザ端末は、スケジュール情報と付加情報をそれぞれ格納するだけであるため、ユーザ端末のユーザがスケジュール情報と付加情報を連係させて記憶しなければならない。これにより、ユーザ端末でスケジュール情報と付加情報は、ユーザの記憶力に依存して利用されているため、効率的に利用することができない。
したがって、本発明の目的は、ユーザ端末の利用効率性を向上させることにある。
【課題を解決するための手段】
【０００４】
前記課題を解決するための本発明に係る通信システムにおけるユーザ端末の情報取得方法は、ユーザ端末が場所情報を含むスケジュール情報を登録するステップと、外部サーバから前記場所情報に対応するサービス情報の受信時、前記ユーザ端末が前記スケジュール情報に前記サービス情報を追加するステップと、前記スケジュール情報の検索時、前記ユーザ端末が前記サービス情報を表示するステップと、を含むことを特徴とする。
【０００５】
また、前記課題を解決するための本発明に係る通信システムにおけるユーザ端末の情報取得装置は、外部サーバに接続するための無線通信部と、場所情報を含むスケジュール情報を登録し、前記外部サーバから前記場所情報に対応するサービス情報の受信時、前記スケジュール情報に前記サービス情報を追加するための制御部と、前記制御部の制御下で前記スケジュール情報の検索時、前記サービス情報を表示するための表示部と、を含むことを特徴とする。
【発明の効果】
【０００６】
本発明に係る通信システムにおけるユーザ端末の情報取得方法および装置は、ユーザ端末でスケジュール情報と共に、スケジュール情報と関連する場所に対応する位置ベース情報を連係させて管理することができる。すなわち、ユーザ端末のユーザが別個に情報の検索を行ったり情報記録を行ったりする必要なく、ユーザ端末から容易に位置ベース情報を取得することができる。これにより、ユーザ端末でスケジュール情報に対応して位置ベース情報を自動的に追加して管理することができる。これにより、ユーザ端末でユーザの便宜性を向上させることができ、さらに、ユーザ端末の利用効率性を向上させることができる。
【図面の簡単な説明】
【０００７】
【図１】本発明の第１実施形態に係る通信システムを示す構成図である。
【図２】本発明の第１実施形態に係る通信システムにおけるユーザ端末の情報取得手続の一例を示すフローチャートである。
【図３】本発明の第１実施形態に係る通信システムにおけるユーザ端末の情報取得手続の別の例を示すフローチャートである。
【図４】本発明の第２実施形態に係る通信システムを示す構成図である。
【図５】本発明の第２実施形態に係る通信システムにおけるユーザ端末の情報取得手続を示すフローチャートである。
【図６】本発明の第３実施形態に係る通信システムを示す構成図である。
【図７】本発明の第３実施形態に係る通信システムにおけるユーザ端末の情報取得手続を示すフローチャートである。
【図８】本発明の実施形態に係る通信システムにおけるユーザ端末の内部構成を示すブロック図である。
【図９】本発明の第１実施形態および第２実施形態に係る通信システムにおけるユーザ端末の情報取得手続を示すフローチャートである。
【図１０】本発明の第３実施形態に係る通信システムにおけるユーザ端末の情報取得手続を示すフローチャートである。
【図１１】図９および図１０における情報表示手続を示すフローチャートである。
【図１２】本発明の実施形態に係る通信システムにおけるユーザ端末の情報取得手続を説明するための例示図である。
【図１３】本発明の実施形態に係る通信システムにおけるユーザ端末の情報取得手続を説明するための例示図である。
【図１４】本発明の実施形態に係る通信システムにおけるユーザ端末の情報取得手続を説明するための例示図である。
【発明を実施するための形態】
【０００８】
以下、添付する図面を参照しながら本発明の実施形態をより詳細に説明する。添付された図面で同一の構成要素は、なるべく同一の符号で示していることに留意しなければならない。また、本発明の要旨を不明瞭にする公知機能および構成に対する詳細な説明は、省略する。
【０００９】
下記の説明において、「スケジュール情報（ｓｃｈｅｄｕｌｅ  ｉｎｆｏｒｍａｔｉｏｎ）」とは、ユーザ端末に記録される情報であって、ユーザによって予定される時間的計画を意味する。例えば、スケジュール情報は、旅行、ショッピング、食事などと関連する計画であってもよい。このとき、スケジュール情報は、ユーザ端末でユーザによって任意に決定され、ユーザの計画を示す題名、ユーザの計画が実行される時間情報、および場所情報などを含む。題名は、例えば、旅行、食事、ショッピングのようにテキスト（ｔｅｘｔ）からなる。時間情報は、日付と時刻の組合せからなる。すなわち、時間情報は、例えば、２０１１年５月２７日午後１２時のように特定時点を示してもよい。または、時間情報は、例えば、２０１１年５月２７日〜２０１１年５月２９日のように少なくとも１つの時区間を示してもよい。場所情報は、例えば、釜山（プサン）の海雲台（ヘウンデ）、江南（カンナム）駅などのようにテキストからなる。または、場所情報は、例えば、経度、緯度、高度を含む座標データからなる。
【００１０】
さらに、「サービス情報（ｓｅｒｖｉｃｅ  ｉｎｆｏｒｍａｔｉｏｎ）」とは、ユーザ端末でスケジュール情報に対応する位置ベース情報を意味する。このとき、サービス情報は、それぞれのサービス提供者（ｓｅｒｖｉｃｅ  ｐｒｏｖｉｄｅｒ）から提供されるサービスを示す。ここで、サービス提供者は、例えば、ホテル、食堂、デパートなどを代表する加入者または企業組織を示す。例えば、サービス情報は、サービス提供者の位置情報、メニュー、価格、電話番号、または、ホームページアドレスのうち少なくともいずれか１つを含んでもよい。
【００１１】
図１は、本発明の第１実施形態に係る通信システムを示す構成図である。
図１を参照すれば、本実施形態の通信システムは、ユーザ端末１１０、カレンダーサーバ１２０、登録サーバ１３０、およびサービス提供者１４０を含む。
ユーザ端末１１０は、カレンダーアプリケーション（ｃａｌｅｎｄｅｒ  ａｐｐｌｉｃａｔｉｏｎ）を実行してスケジュール情報を管理する。ここで、ユーザ端末１１０の製造時に、カレンダーアプリケーションがユーザ端末１１０に導入される。または、カレンダーアプリケーションは、製造後にユーザ端末１１０にダウンロードされるか導入されてもよい。ユーザ端末１１０は、スケジュール情報を格納し、必要に応じてスケジュール情報を表示する。そして、ユーザ端末１１０は、周期的にカレンダーサーバ１２０と通信して同期化を実行する。また、ユーザ端末１１０へのスケジュール情報の登録時、ユーザ端末１１０は、カレンダーサーバ１２０にスケジュール情報を送信する。さらに、カレンダーサーバ１２０からスケジュール情報に対応するサービス情報の受信時、ユーザ端末１１０は、スケジュール情報に相応するサービス情報を追加および／または管理することができる。
【００１２】
カレンダーサーバ１２０は、カレンダーアプリケーションを介してユーザ端末１１０と連動される。このようなカレンダーサーバ１２０は、ユーザ端末１１０と別にスケジュール情報を管理する。すなわち、ユーザ端末１１０でカレンダーアプリケーションの実行時、カレンダーサーバ１２０は、ユーザ端末１１０と接続する。そして、ユーザ端末１１０へのスケジュール情報の登録時、カレンダーサーバ１２０は、ユーザ端末１１０と別にスケジュール情報を登録する。このために、カレンダーサーバ１２０は、周期的にユーザ端末１１０と通信して同期化を実行する。また、ユーザ端末１１０からスケジュール情報の受信時、カレンダーサーバ１２０がスケジュール情報を格納する。さらに、カレンダーサーバ１２０は、登録サーバ１３０にスケジュール情報に対応するサービス情報を要請することができる。また、登録サーバ１３０またはサービス提供者１４０からスケジュール情報に対応するサービス情報の受信時、カレンダーサーバ１２０は、スケジュール情報にサービス情報を追加して管理する。さらに、カレンダーサーバ１２０は、ユーザ端末１１０にサービス情報を送信する。すなわち、カレンダーサーバ１２０は、プッシュ（ｐｕｓｈ）方式でユーザ端末１１０にサービス情報を提供する。
【００１３】
登録サーバ１３０は、サービス提供者１４０を管理する。このような登録サーバ１３０は、サービス提供者１４０の基本情報を格納して管理する。ここで、基本情報は、サービス提供者１４０の識別情報、位置情報、およびカテゴリー情報を含む。また、カテゴリー情報は、例えば、食堂、ホテル、映画館のような業種などに、サービス提供者１４０を分類するための情報を含んでもよい。このとき、カレンダーサーバ１２０でスケジュール情報に対応するサービス情報の要請時、登録サーバ１３０は、基本情報を用いてスケジュール情報に対応するサービス提供者１４０を検索し、サービス提供者１４０にサービス情報を要請する。または、登録サーバ１３０は、サービス提供者１４０の基本情報と共に、予め登録されたサービス情報をさらに格納して管理する。また、カレンダーサーバ１２０でスケジュール情報に対応するサービス情報の要請時、登録サーバ１３０は、基本情報を用いてスケジュール情報に対応するサービス提供者１４０を検索し、サービス提供者１４０のサービス情報を検出する。さらに、登録サーバ１３０は、スケジュール情報に対応するサービス情報をカレンダーサーバ１２０に送信する。
【００１４】
サービス提供者１４０は、それぞれの基本情報およびサービス情報を格納して管理する。このとき、サービス提供者１４０は、登録サーバ１３０に基本情報を予め登録する。そして、サービス提供者１４０は、周期的にサービス情報を更新する。また、登録サーバ１３０でサービス情報の要請時、サービス提供者１４０は、基本情報と共にサービス情報をカレンダーサーバ１２０または登録サーバ１３０に送信する。または、サービス提供者１４０は、周期的に基本情報と共にサービス情報を登録サーバ１３０に登録する。
【００１５】
一実施形態によれば、通信システムにおけるユーザ端末１１０は、多様な方式でサービス提供者１４０から提供されるサービス情報を取得することができる。例えば、ユーザ端末１１０は、サービス提供者１４０から直接的にサービス情報を取得する。また、ユーザ端末１１０は、サービス提供者１４０のサービス情報が予め登録されている登録サーバ１３０から前記サービス情報を取得してもよい。このとき、本実施形態の通信システムにおいて、ユーザ端末１１０がサービス情報を取得する手続について、次の２つの例を仮定して説明するが、これに限定されるものではない。
【００１６】
図２は、本発明の第１実施形態に係る通信システムにおけるユーザ端末の情報取得手続の一例を示すフローチャートである。
図２を参照すれば、ユーザ端末１１０がステップ１１１でカレンダーサーバ１２０にスケジュール情報を登録する。すなわち、ユーザ端末１１０は、ユーザの要請によってカレンダーアプリケーションを実行してスケジュール情報を登録する。このとき、ユーザ端末１１０は、予め格納されたカレンダーに対応してスケジュール情報を格納する。ここで、スケジュール情報は、題名、時間情報、および場所情報を含んでもよい。また、スケジュール情報の場所情報がテキストを含めば、ユーザ端末１１０は、テキストを分析して座標データを検出し、スケジュール情報の場所情報としてテキストの代りに座標データを格納する。そして、ユーザ端末１１０は、カレンダーサーバ１２０にスケジュール情報を送信する。ここで、ユーザ端末１１０は、ユーザ端末１１０の識別情報と共にスケジュール情報を送信する。また、カレンダーサーバ１２０がユーザ端末１１０からスケジュール情報の受信時、カレンダーサーバ１２０がスケジュール情報を格納する。ここで、場所情報は、テキストまたは座標データを含んでもよい。さらに、スケジュール情報の場所情報がテキストを含めば、カレンダーサーバ１２０は、テキストを分析して座標データを検出し、スケジュール情報の場所情報としてテキストの代りに座標データを格納する。
【００１７】
スケジュール情報が登録されれば、カレンダーサーバ１２０は、ステップ１１３でスケジュール情報から公開情報を抽出して登録サーバ１３０に登録する。すなわち、カレンダーサーバ１２０は、公開情報を登録サーバ１３０にポスティングしてサービス提供者１４０のために公開する。ここで、公開情報は、スケジュール情報の場所情報と、スケジュール情報に対応するカテゴリー情報とを含む。このとき、公開情報は、ユーザ端末１１０の識別情報を含まない。すなわち、カレンダーサーバ１２０は、ユーザ端末１１０の識別情報に代えて、公開情報に任意の仮想情報を付与して登録サーバ１３０に送信する。ここで、カレンダーサーバ１２０は、ユーザ端末１１０の識別情報に対応して仮想情報を格納する。
【００１８】
次に、公開情報が登録されれば、登録サーバ１３０は、ステップ１１５で公開情報をサービス提供者１４０に送信する。このとき、登録サーバ１３０は、サービス提供者１４０の基本情報を格納している。ここで、基本情報は、サービス提供者１４０の識別情報、位置情報、およびカテゴリー情報を含んでもよい。すなわち、登録サーバ１３０は、公開情報の場所情報に対応する位置情報を有するサービス提供者１４０を検索する。ここで、登録サーバ１３０は、サービス提供者１４０の位置情報が公開情報の場所情報から設定された距離以内に該当するか否かを判断することができる。そして、サービス提供者１４０の位置情報が公開情報の場所情報から設定された距離以内に該当すれば、登録サーバ１３０がサービス提供者１４０を検出する。また、登録サーバ１３０は、公開情報のカテゴリー情報と同一のカテゴリー情報を有するサービス提供者１４０を検索する。さらに、登録サーバ１３０は、公開情報に仮想情報と共に公開情報をサービス提供者１４０に送信する。
【００１９】
サービス提供者１４０は、ステップ１１７でサービス情報をカレンダーサーバ１２０に送信する。このとき、サービス提供者１４０は、基本情報およびサービス情報を格納している。ここで、サービス情報は、サービス提供者１４０から提供されるサービスを示す。例えば、サービス情報は、サービス提供者１４０の位置情報、メニュー、価格、電話番号、または、ウェブページアドレスのうち少なくともいずれか１つを含んでもよい。すなわち、サービス提供者１４０は、公開情報に付与された仮想情報と共にサービス情報を送信する。ここで、サービス提供者１４０は、サービス情報だけでなく、基本情報をさらに送信してもよい。
【００２０】
次に、サービス情報が受信されれば、カレンダーサーバ１２０は、ステップ１１９でサービス情報をユーザ端末１１０に送信する。このとき、カレンダーサーバ１２０は、ユーザ端末１１０のスケジュール情報にサービス情報を追加する。ここで、カレンダーサーバ１２０は、サービス情報と共に受信された仮想情報に対応して、ユーザ端末１１０の識別情報を把握する。そして、カレンダーサーバ１２０は、ユーザ端末１１０の識別情報を用いてサービス情報を送信する。これにより、ユーザ端末１１０は、スケジュール情報にユーザ情報を追加し、カレンダーアプリケーションを介してスケジュール情報と共にユーザ情報を管理する。
【００２１】
一方、一実施形態において、登録サーバ１３０への公開情報の登録時、カレンダーサーバ１２０がユーザ端末１１０の識別情報に代えて、公開情報に仮想情報を付与する場合を開示したが、これに限定されるものではない。すなわち、登録サーバ１３０への公開情報の登録時、カレンダーサーバ１２０がユーザ端末１１０の識別情報を有して公開情報を登録しても、本発明の実現が可能である。このために、サービス提供者１４０への公開情報の送信時、登録サーバ１２０がユーザ端末１１０の識別情報に代えて、公開情報に任意の仮想情報を付与してもよい。ここで、登録サーバ１３０は、ユーザ端末１１０の識別情報に対応して仮想情報を格納してもよい。そして、公開情報の受信時、サービス提供者１４０は、仮想情報と共にサービス情報を登録サーバ１３０に送信する。このとき、サービス情報が受信されれば、登録サーバ１３０が仮想情報に対応するユーザ端末１１０の識別情報を用いて、カレンダーサーバ１２０にサービス情報を送信する。言い換えれば、サービス提供者１４０のサービス情報は、登録サーバ１３０を経由してカレンダーサーバ１２０に送信される。
【００２２】
図３は、本発明の第１実施形態に係る通信システムにおけるユーザ端末の情報取得手続の別の例を示すフローチャートである。
図３を参照すれば、本実施形態の情報取得手続は、サービス提供者１４０がステップ１２１で登録サーバ１３０にサービス情報を登録することから出発する。このとき、サービス提供者１４０は、それぞれの基本情報およびサービス情報を格納している。ここで、基本情報は、サービス提供者１４０の識別情報、位置情報、およびカテゴリー情報を含む。また、サービス情報は、サービス提供者１４０から提供されるサービスを示す。例えば、サービス情報は、サービス提供者１４０の位置情報、メニュー、価格、電話番号、または、ウェブページアドレスのうち少なくともいずれか１つを含んでもよい。また、サービス提供者１４０は、登録サーバ１３０にそれぞれのサービス情報だけでなく、基本情報を登録してもよい。このとき、サービス提供者１４０は、周期的にサービス情報を更新する。さらに、サービス提供者１４０は、登録サーバ１３０でサービス情報を更新する。
【００２３】
ユーザ端末１１０は、ステップ１２３でカレンダーサーバ１２０にスケジュール情報を登録する。すなわち、ユーザ端末１１０は、ユーザの要請によってカレンダーアプリケーションを実行してスケジュール情報を登録する。このとき、ユーザ端末１１０は、予め格納されたカレンダーに対応してスケジュール情報を格納する。ここで、スケジュール情報は、題名、時間情報、および場所情報を含んでもよい。さらに、スケジュール情報の場所情報がテキストを含めば、ユーザ端末１１０は、テキストを分析して座標データを検出し、スケジュール情報の場所情報としてテキストの代りに座標データを格納する。また、ユーザ端末１１０は、カレンダーサーバ１２０にスケジュール情報を送信する。ここで、ユーザ端末１１０は、ユーザ端末１１０の識別情報と共にスケジュール情報を送信する。また、カレンダーサーバ１２０がユーザ端末１１０からスケジュール情報の受信時、カレンダーサーバ１２０がスケジュール情報を格納する。ここで、場所情報は、テキストまたは座標データを含んでもよい。さらに、スケジュール情報の場所情報がテキストを含めば、カレンダーサーバ１２０は、テキストを分析して座標データを検出し、スケジュール情報の場所情報としてテキストの代りに座標データを格納する。
【００２４】
次に、スケジュール情報が登録されれば、カレンダーサーバ１２０は、ステップ１２５でスケジュール情報から公開情報を抽出して登録サーバ１３０に登録する。すなわち、カレンダーサーバ１２０は、公開情報を登録サーバ１３０にポスティングしてサービス提供者１４０のために公開する。ここで、公開情報は、スケジュール情報の場所情報と、スケジュール情報に対応するカテゴリー情報とを含む。このとき、公開情報は、ユーザ端末１１０の識別情報を含まない。すなわち、カレンダーサーバ１２０は、ユーザ端末１１０の識別情報に代えて、公開情報に任意の仮想情報を付与して登録サーバ１３０に送信する。ここで、カレンダーサーバ１２０は、ユーザ端末１１０の識別情報に対応して仮想情報を格納する。
【００２５】
公開情報が登録されれば、登録サーバ１３０は、ステップ１２７でサービス情報をカレンダーサーバ１２０に送信する。このとき、登録サーバ１３０は、公開情報の場所情報に対応する位置情報を有するサービス提供者１４０を検索する。ここで、登録サーバ１３０は、サービス提供者１４０の位置情報が公開情報の場所情報から設定された距離以内に該当するか否かを判断することができる。そして、サービス提供者１４０の位置情報が公開情報の場所情報から設定された距離以内に該当すれば、登録サーバ１３０がサービス提供者１４０を検出する。また、登録サーバ１３０は、公開情報のカテゴリー情報と同一のカテゴリー情報を有するサービス提供者１４０を検索する。この後、登録サーバ１３０は、サービス提供者１４０のサービス情報を検出してカレンダーサーバ１２０に送信する。ここで、登録サーバ１３０は、公開情報に付与された仮想情報と共にサービス情報を送信する。さらに、登録サーバ１３０は、サービス情報だけでなく、基本情報をさらに送信してもよい。
【００２６】
次に、サービス情報が受信されれば、カレンダーサーバ１２０は、ステップ１２９でサービス情報をユーザ端末１１０に送信する。このとき、カレンダーサーバ１２０は、ユーザ端末１１０のスケジュール情報にサービス情報を追加する。ここで、カレンダーサーバ１２０は、サービス情報と共に受信された仮想情報に対応してユーザ端末１１０の識別情報を把握する。そして、カレンダーサーバ１２０は、ユーザ端末１１０の識別情報を用いてサービス情報を送信する。これにより、ユーザ端末１１０は、スケジュール情報にユーザ情報を追加し、カレンダーアプリケーションを介してスケジュール情報と共にユーザ情報を管理する。
【００２７】
一方、上述された実施形態において、ユーザ端末がサービス提供者から提供されるサービス情報を取得する場合を開示したが、これに限定されるものではない。すなわち、サービス提供者が直接的にサービス情報を提供しなくても、本発明の実現が可能である。これにより、登録サーバがサービス提供者の基本情報またはサービス情報のうち少なくともいずれか１つを格納しなくても、ユーザ端末がサービス提供者のサービス情報を取得することができる。
【００２８】
図４は、本発明の第２実施形態に係る通信システムを示す構成図である。
図４を参照すれば、本実施形態の通信システムは、ユーザ端末２１０、カレンダーサーバ２２０、登録サーバ２３０、および他のユーザ端末２４０を含む。
ユーザ端末２１０は、カレンダーアプリケーションを実行してスケジュール情報を管理する。ここで、ユーザ端末２１０の製造時、カレンダーアプリケーションがユーザ端末２１０に導入される。または、カレンダーアプリケーションは、ユーザ端末２１０の製造後に、ユーザ端末２１０にダウンロードされるか導入されてもよい。ユーザ端末２１０は、スケジュール情報を格納し、必要に応じてスケジュール情報を表示する。そして、ユーザ端末２１０は、周期的にカレンダーサーバ２２０と通信して同期化を実行する。また、ユーザ端末２１０へのスケジュール情報の登録時、ユーザ端末２１０は、カレンダーサーバ２２０にスケジュール情報を送信する。さらに、カレンダーサーバ２２０からスケジュール情報に対応するサービス情報の受信時、ユーザ端末２１０は、スケジュール情報にサービス情報を追加して管理する。
【００２９】
カレンダーサーバ２２０は、カレンダーアプリケーションを介してユーザ端末２１０と連係される。このようなカレンダーサーバ２２０は、ユーザ端末２１０と別にスケジュール情報を管理する。すなわち、ユーザ端末２１０でカレンダーアプリケーションの実行時、カレンダーサーバ２２０は、ユーザ端末２１０と接続する。そして、ユーザ端末２１０へのスケジュール情報の登録時、カレンダーサーバ２２０は、ユーザ端末２１０と別にスケジュール情報を登録する。このために、カレンダーサーバ２２０は、周期的にユーザ端末２１０と通信して同期化を実行する。また、ユーザ端末２１０からスケジュール情報の受信時、カレンダーサーバ２２０がスケジュール情報を格納する。また、カレンダーサーバ２２０は、登録サーバ２３０にスケジュール情報に対応するサービス情報を要請することができる。さらに、登録サーバ２３０からスケジュール情報に対応するサービス情報の受信時、カレンダーサーバ２２０は、スケジュール情報にサービス情報を追加して管理する。さらに、カレンダーサーバ２２０は、ユーザ端末２１０にサービス情報を送信する。すなわち、カレンダーサーバ２２０は、プッシュ方式でユーザ端末２１０にサービス情報を提供する。
【００３０】
登録サーバ２３０は、他のユーザ端末２４０を管理する。例えば、登録サーバ２３０は、他のユーザ端末２４０の基本情報を格納して管理する。このとき、登録サーバ２３０は、ソーシャルネットワーキングサービス（Ｓｏｃｉａｌ  Ｎｅｔｗｏｒｋｉｎｇ  Ｓｅｒｖｉｃｅ；ＳＮＳ）をサポートするＳＮＳサーバであってもよい。また、基本情報は、他のユーザ端末２４０の識別情報を含んでもよい。ここで、登録サーバ２３０は、ユーザ端末２１０と他のユーザ端末２４０を相互対応させて管理する。例えば、登録サーバ２３０は、ユーザ端末２１０のフォロワー（ｆｏｌｌｏｗｅｒ）として、他のユーザ端末２４０を管理することができる。また、カレンダーサーバ２２０でスケジュール情報に対応するサービス情報の要請時、登録サーバ２３０は、他のユーザ端末２４０にサービス情報を要請する。さらに、登録サーバ２３０が他のユーザ端末２４０からサービス情報の受信時、登録サーバ２３０は、スケジュール情報に対応してサービス情報をカレンダーサーバ２２０に送信する。
【００３１】
他のユーザ端末２４０は、登録サーバ２３０に接続可能である。このとき、他のユーザ端末２４０は、登録サーバ２３０に接続して、ソーシャルネットワーキングサービスを利用することができる。そして、登録サーバ２３０でスケジュール情報に対応するサービス情報の要請時、他のユーザ端末２４０は、登録サーバ２３０にサービス情報を送信する。すなわち、他のユーザ端末２４０は、ユーザ端末２１０のスケジュール情報を表示することができる。そして、他のユーザ端末２４０のユーザによるテキストの入力時、他のユーザ端末２４０は、テキストをスケジュール情報に対応するサービス情報として送信する。ここで、他のユーザ端末２４０のユーザは、ユーザ端末２１０のスケジュール情報を確認し、経験または知識などに基づいて他のユーザ端末２４０にテキストを作成する。
【００３２】
本実施形態によれば、通信システムにおけるユーザ端末２１０は、多様な方式で他のユーザ端末２４０から提供されるサービス情報を取得する。すなわち、ユーザ端末２１０は、ソーシャルネットワーキングサービスを用いてサービス情報を取得する。このとき、本実施形態の通信システムにおけるユーザ端末２１０がサービス情報を取得する手続について、次の方式で仮定して説明するが、これに限定されるものではない。
【００３３】
図５は、本発明の第２実施形態に係る通信システムにおけるユーザ端末の情報取得手続を示すフローチャートである。
図５を参照すれば、ユーザ端末２１０がステップ２１１でカレンダーサーバ２２０にスケジュール情報を登録する。すなわち、ユーザ端末２１０は、ユーザの要請によってカレンダーアプリケーションを実行してスケジュール情報を登録する。このとき、ユーザ端末２１０は、予め格納されたカレンダーに対応してスケジュール情報を格納する。ここで、スケジュール情報は、題名、時間情報、および場所情報を含んでもよい。また、スケジュール情報の場所情報がテキストを含めば、ユーザ端末２１０は、テキストを分析して座標データを検出し、スケジュール情報の場所情報としてテキストの代りに座標データを格納する。そして、ユーザ端末２１０は、カレンダーサーバ２２０にスケジュール情報を送信する。ここで、ユーザ端末２１０は、ユーザ端末２１０の識別情報と共にスケジュール情報を送信する。また、ユーザ端末２１０からスケジュール情報の受信時、カレンダーサーバ２２０がスケジュール情報を格納する。ここで、場所情報は、テキストまたは座標データを含んでもよい。さらに、スケジュール情報の場所情報がテキストを含めば、カレンダーサーバ２２０は、テキストを分析して座標データを検出し、スケジュール情報の場所情報としてテキストの代りに座標データを格納する。
【００３４】
スケジュール情報が登録されれば、カレンダーサーバ２２０は、ステップ２１３でスケジュール情報から公開情報を抽出して登録サーバ２３０に登録する。すなわち、カレンダーサーバ２２０は、公開情報を登録サーバ２３０にポスティングして他のユーザ端末２４０のために公開する。このとき、公開情報は、ユーザ端末２１０の識別情報、スケジュール情報の場所情報、およびスケジュール情報に対応するカテゴリー情報を含む。
【００３５】
次に、公開情報が登録されれば、登録サーバ２３０は、ステップ２１５で公開情報をサービス提供者２４０に送信する。このとき、登録サーバ２３０は、他のユーザ端末２４０の基本情報を格納している。ここで、基本情報は、他のユーザ端末２４０の識別情報を含む。すなわち、登録サーバ２３０は、ユーザ端末２１０に対応して登録された他のユーザ端末２４０を検索する。また、登録サーバ２３０は、他のユーザ端末２４０の識別情報を用いて、ユーザ端末２１０の識別情報と共にサービス情報を送信する。
【００３６】
次に、公開情報が受信されれば、他のユーザ端末２４０は、ステップ２１７でサービス情報を登録サーバ２３０に送信する。ここで、サービス情報は、サービス提供者（図示せず）から提供されるサービスを示す。例えば、サービス情報は、サービス提供者の位置情報、メニュー、価格、電話番号、または、ウェブページアドレスのうち少なくともいずれか１つを含んでもよい。
【００３７】
次に、サービス情報が受信されれば、登録サーバ２３０は、ステップ２１９でサービス情報をカレンダーサーバ２２０に送信する。このとき、登録サーバ２３０は、ユーザ端末２１０の識別情報と共にサービス情報を送信する。
【００３８】
次に、サービス情報が受信されれば、カレンダーサーバ２２０は、ステップ２２１でサービス情報をユーザ端末２１０に送信する。このとき、カレンダーサーバ２２０は、ユーザ端末２１０のスケジュール情報にサービス情報を追加する。また、カレンダーサーバ２２０は、ユーザ端末２１０の識別情報を用いてサービス情報を送信する。これにより、ユーザ端末２１０は、スケジュール情報にユーザ情報を追加し、カレンダーアプリケーションを介してスケジュール情報と共にユーザ情報を管理する。
【００３９】
一方、上述された実施形態において、ユーザ端末がカレンダーサーバにスケジュール情報を登録することにより、スケジュール情報に対応するサービス情報を取得する場合を開示したが、これに限定されるものではない。すなわち、ユーザ端末がカレンダーサーバにスケジュール情報を登録しなくても、本発明の実現が可能である。これにより、通信システムにカレンダーサーバが含まれなくても、ユーザ端末がサービス情報を取得することができる。
【００４０】
図６は、本発明の第３実施形態に係る通信システムを示す構成図である。
図６を参照すれば、本実施形態の通信システムは、ユーザ端末３１０および登録サーバ３３０を含む。
ユーザ端末３１０は、カレンダーアプリケーションを実行してスケジュール情報を管理する。ここで、ユーザ端末３１０の製造時、カレンダーアプリケーションがユーザ端末３１０に導入される。または、カレンダーアプリケーションは、ユーザ端末３１０の製造後に、ユーザ端末３１０にダウンロードされるか導入されてもよい。ユーザ端末３１０は、カレンダーアプリケーションを用いてスケジュール情報を格納し、必要に応じてスケジュール情報を表示する。そして、ユーザ端末３１０は、登録サーバ３３０にスケジュール情報の場所情報を送信してサービス情報を要請する。さらに、登録サーバ３３０からスケジュール情報に対応するサービス情報の受信時、ユーザ端末３１０は、スケジュール情報にサービス情報を追加して管理する。
【００４１】
登録サーバ３３０は、サービス情報を管理する。このような登録サーバ３３０は、インターネット（ｉｎｔｅｒｎｅｔ）通信をサポートするウェブサーバ（ｗｅｂ  ｓｅｒｖｅｒ）であってもよい。また、ユーザ端末３１０でスケジュール情報に対応するサービス情報の要請時、登録サーバ３３０は、検索エンジンを駆動してスケジュール情報に対応するサービス情報を検索する。また、登録サーバ３３０は、検索結果によるサービス情報をユーザ端末３１０に送信する。
【００４２】
図７は、本発明の第３実施形態に係る通信システムにおけるユーザ端末の情報取得手続を示すフローチャートである。
図７を参照すれば、本実施形態の情報取得手続は、ユーザ端末３１０がステップ３１１において、スケジュール情報を登録することから出発する。すなわち、ユーザ端末３１０は、ユーザの要請によってカレンダーアプリケーションを実行してスケジュール情報を登録する。このとき、ユーザ端末３１０は、予め格納されたカレンダーに対応してスケジュール情報を格納する。ここで、スケジュール情報は、題名、時間情報、および場所情報を含んでもよい。また、スケジュール情報の場所情報がテキストを含めば、ユーザ端末３１０は、テキストを分析して座標データを検出し、スケジュール情報の場所情報としてテキストの代りに座標データを格納してもよい。
【００４３】
次に、スケジュール情報が登録されれば、ユーザ端末３１０は、ステップ３１３で登録サーバ３３０にスケジュール情報に対応するサービス情報を要請する。このとき、ユーザ端末３１０は、スケジュール情報が場所情報を含むか否かを判断する。スケジュール情報が場所情報を含んでいれば、ユーザ端末３１０は、登録サーバ３３０にサービス情報を要請する。すなわち、ユーザ端末３１０は、スケジュール情報の場所情報を登録サーバ３３０に送信する。
【００４４】
次に、サービス情報が要請されれば、登録サーバ３３０は、ステップ３１５でサービス情報をユーザ端末３１０に送信する。すなわち、ユーザ端末３１０から場所情報が受信されれば、登録サーバ３３０は、検索エンジンを駆動して場所情報に対応するサービス情報を検索する。また、登録サーバ３３０は、検索結果によるサービス情報をユーザ端末３１０に送信する。
【００４５】
図８は、本発明の実施形態に係る通信システムにおけるユーザ端末の内部構成を示すブロック図である。
図８を参照すれば、本発明の実施形態でユーザ端末４００は、無線通信部４１０、メモリ４２０、制御部４３０、オーディオ処理部４４０、表示部４５０、および入力部４６０を含む。
無線通信部４１０は、ユーザ端末４００の無線通信機能を行う。無線通信部４１０は、送信される信号の周波数を上昇変換および増幅するＲＦ送信機と、受信される信号を低雑音増幅して周波数を下降変換するＲＦ受信機とを含む。
【００４６】
メモリ４２０は、プログラムメモリおよびデータメモリで構成される。プログラムメモリは、ユーザ端末４００の一般的な動作を制御するためのプログラムを格納する。このとき、プログラムメモリは、本発明の実施形態によってカレンダーアプリケーションを格納する。データメモリは、プログラムを行う途中で発生するデータを格納する機能を行う。そして、メモリ４２０は、本発明の実施形態によってスケジュール情報を格納する。また、メモリ４２０は、本発明の実施形態によってスケジュール情報と共にサービス情報を格納する。
【００４７】
制御部４３０は、ユーザ端末４００の全般的な動作を制御する機能を行う。このような制御部４３０は、送信される信号を符号化および変調する送信機と、受信される信号を復調および復号化する受信機とを有するデータ処理部を含む。このとき、データ処理部は、モデム（ＭＯＤＥＭ）およびコーデック（ＣＯＤＥＣ）から構成されてもよい。また、コーデックは、パケットデータなどを処理するデータコーデックと、音声などのオーディオ信号を処理するオーディオコーデックとを備える。
【００４８】
また、制御部４３０は、本発明の実施形態によってカレンダーアプリケーションを実行してスケジュール情報を管理する。このとき、制御部４３０は、インターネットを介して登録サーバ３３０に接続する。また、ユーザ端末４００へのスケジュール情報の登録時、制御部４３０は、登録サーバ３３０にスケジュール情報の場所情報を送信する。または、制御部４３０は、周期的にカレンダーサーバ１２０，４２０と通信して同期化を実行する。また、ユーザ端末４００へのスケジュール情報の登録時、制御部４３０は、カレンダーサーバ１２０，２２０にスケジュール情報を送信する。さらに、カレンダーサーバ１２０，２２０または登録サーバ１３０，２３０，３３０から場所情報に対応するサービス情報の受信時、制御部４３０は、スケジュール情報にサービス情報を追加して管理する。これにより、スケジュール情報の検索時、制御部４３０は、本発明の実施形態によってスケジュール情報と共にサービス情報を表示する。さらに、制御部４３０は、本発明の実施形態によってソーシャルネットワーキングサービスを介して、他のユーザ端末２４０とサービス情報を共有する。さらに、制御部４３０は、本発明の実施形態によってサービス情報を用いてサービス提供者１４０に接続する。
【００４９】
オーディオ処理部４４０は、データ処理部のオーディオコーデックから出力される受信オーディオ信号をスピーカ（ＳＰＫ）を介して再生するか、マイク（ＭＩＣ）から発生する送信オーディオ信号をデータ処理部のオーディオコーデックに送信する機能を行う。
表示部４５０は、制御部４３０から出力されるユーザデータを表示する。このような表示部４５０は、ＬＣＤを使用してもよく、このような場合、表示部４５０は、ＬＣＤ制御部、映像データを格納できるメモリ、およびＬＣＤ表示素子などを備える。また、ＬＣＤをタッチスクリーン（ｔｏｕｃｈ  ｓｃｒｅｅｎ）方式で実現する場合、入力部として動作してもよい。
入力部４６０は、数字および文字の情報を入力するためのキーと、各種機能を設定するための機能キーとから構成される。
【００５０】
図９は、本発明の第１実施形態および第２実施形態に係る通信システムにおけるユーザ端末の情報取得手続を示すフローチャートである。また、図１２〜図１４は、本発明の実施形態に係る通信システムにおけるユーザ端末の情報取得手続を説明するための例示図である。
【００５１】
図９を参照すれば、本発明の実施形態でユーザ端末４００の情報取得手続は、制御部４３０がステップ５１１でスケジュール情報を登録することから出発する。すなわち、入力部４６０を介してスケジュール情報を登録するための要請が受信されれば、制御部４３０がこれを感知する。例えば、図１２に示されたように、スケジュール情報が作成された後、格納するためのキーが選択されれば、制御部４３０は、これをスケジュール情報を登録するための要請として感知する。そして、制御部４３０は、カレンダーアプリケーションを駆動してメモリ４２０にスケジュール情報を格納する。ここで、スケジュール情報は、題名、時間情報、および場所情報を含んでもよい。例えば、題名は旅行に該当し、時間情報は２０１１年５月２７日午後１２時〜２０１１年５月２９日午後８時に該当し、場所情報は釜山（プサン）の海雲台（ヘウンデ）に該当する。このとき、スケジュール情報の登録時、制御部４３０は、ユーザの要請によってスケジュール情報に対応するサービス情報を受信するか否かを設定する。例えば、制御部４３０は、スケジュール情報を設定するための画面を介して、サービス情報の受信有無を選択するためのチェックボックスを提供する。また、スケジュール情報が作成されれば、制御部４３０は、チェックボックスを確認してスケジュール情報に対応するサービス情報を受信するか否かを設定し、スケジュール情報と共に格納する。
【００５２】
次に、制御部４３０は、ステップ５１３でカレンダーサーバ１２０，２２０にスケジュール情報を登録する。すなわち、制御部４３０は、カレンダーアプリケーションを介してカレンダーサーバ１２０，２２０にスケジュール情報を登録する。このとき、制御部４３０は、カレンダーサーバ１２０，２２０にスケジュール情報を送信する。ここで、制御部４３０は、ユーザ端末４００の識別情報と共にスケジュール情報を送信する。すなわち、制御部４３０は、カレンダーアプリケーションを介してユーザ端末４００だけでなく、カレンダーサーバ１２０，２２０にスケジュール情報を登録する。ここで、制御部４３０は、カレンダーサーバ１２０，２２０にスケジュール情報と共に、スケジュール情報に対応するサービス情報を受信するか否かを登録する。
【００５３】
次いで、スケジュール情報に対応するサービス情報が受信されれば、制御部４３０がステップ５１５でこれを感知する。すなわち、無線通信部４１０を介してサービス情報が受信されれば、制御部４３０がこれを感知する。ここで、サービス情報は、サービス提供者１４０から提供されるサービスを示す。例えば、サービス情報は、サービス提供者１４０の位置情報、メニュー、価格、電話番号、または、ホームページアドレスのうち少なくともいずれか１つを含む。このとき、サービス情報は、サービス提供者１４０または他のユーザ端末４４０から提供されてもよい。制御部４３０は、カレンダーサーバ１２０，２２０からサービス情報を受信してもよい。ここで、制御部４３０は、短文メッセージサービス（Ｓｈｏｒｔ  Ｍｅｓｓａｇｅ  Ｓｅｒｖｉｃｅ；ＳＭＳ）、マルチメディアメッセージサービス（Ｍｕｌｔｉｍｅｄｉａ  Ｍｅｓｓａｇｅ  Ｓｅｒｖｉｃｅ；ＭＭＳ）、電子メールサービス、または、各種ソーシャルネットワーキングサービスを介してサービス情報を受信することができる。
【００５４】
次いで、制御部４３０は、ステップ５１７でスケジュール情報にサービス情報を追加する。すなわち、制御部４３０は、スケジュール情報と共にサービス情報を格納する。このとき、制御部４３０は、図１３に示されたように、サービス情報の受信を通知するための通知メッセージを出力する。すなわち、制御部４３０は、ユーザ端末４００のユーザにスケジュール情報の更新を認知させることができる。
【００５５】
最後に、スケジュール情報を検索するための要請が受信されれば、制御部４３０がステップ５１９でこれを感知する。すなわち、入力部４６０を介してスケジュール情報を検索するための要請が受信されれば、制御部４３０がこれを感知する。そして、制御部４３０は、ステップ５２１でスケジュール情報を表示する。このとき、制御部４３０は、スケジュール情報にサービス情報が追加されているか否かを判断する。スケジュール情報にサービス情報が追加されていなければ、制御部４３０は、スケジュール情報のみを表示する。一方、スケジュール情報にサービス情報が含まれていれば、制御部４３０は、スケジュール情報と共にサービス情報を表示する。
【００５６】
図１０は、本発明の第３実施形態に係る通信システムにおけるユーザ端末の情報取得手続を示すフローチャートである。また、図１２〜図１４は、本発明の実施形態に係る通信システムにおけるユーザ端末の情報取得手続を説明するための例示図である。
【００５７】
図１０を参照すれば、制御部４３０がステップ６１１でスケジュール情報を登録する。すなわち、入力部４６０を介してスケジュール情報を登録するための要請が受信されれば、制御部４３０がこれを感知する。例えば、図１２に示されたように、スケジュール情報が選択された後、格納するためのキーが選択されれば、制御部４３０は、これをスケジュール情報を登録するための要請として感知する。そして、制御部４３０は、カレンダーアプリケーションを駆動してメモリ４２０にスケジュール情報を格納する。ここで、スケジュール情報は、題名、時間情報、および場所情報を含む。例えば、題名は旅行に該当し、時間情報は２０１１年５月２７日午後１２時〜２０１１年５月２９日午後８時に該当し、場所情報は、釜山（プサン）の海雲台（ヘウンデ）に該当する。このとき、スケジュール情報の登録時、制御部４３０は、ユーザの要請によってスケジュール情報に対応するサービス情報を受信するか否かを設定する。例えば、制御部４３０は、スケジュール情報を選択するための画面を介して、サービス情報の受信有無を選択するためのチェックボックスを提供する。また、スケジュール情報が作成されれば、制御部４３０は、チェックボックスを確認してスケジュール情報に対応するサービス情報を受信するか否かを設定し、スケジュール情報と共に格納する。
【００５８】
次に、制御部４３０は、ステップ６１３でスケジュール情報が場所情報を含むか否かを判断する。スケジュール情報が場所情報を含んでいれば、制御部４３０は、ステップ６１５で登録サーバ３３０にスケジュール情報に対応するサービス情報を要請する。すなわち、制御部４３０は、無線通信部４１０を介して登録サーバ３３０にスケジュール情報の場所情報を送信し、サービス情報を要請する。このとき、スケジュール情報が場所情報を含んでいれば、制御部４３０は、スケジュール情報に対応してサービス情報を受信するように設定されているか否かを判断することができる。サービス情報を受信するように設定されていれば、制御部４３０は、登録サーバ３３０にスケジュール情報に対応するサービス情報を要請する。また、サービス情報を受信するように設定されていなければ、制御部４３０は、スケジュール情報が場所情報を含んでいても、登録サーバ３３０にスケジュール情報に対応するサービス情報を要請しない。ここで、サービス情報は、サービス提供者（図示せず）から提供されるサービスを示す。例えば、サービス情報は、サービス提供者の位置情報、メニュー、価格、電話番号、または、ホームページアドレスのうち少なくともいずれか１つを含む。
【００５９】
次いで、スケジュール情報に対応するサービス情報が受信されれば、制御部４３０がステップ６１５でこれを感知する。すなわち、無線通信部４１０を介してサービス情報が受信されれば、制御部４３０がこれを感知する。ここで、制御部４３０は、インターネットを介してサービス情報を受信する。
【００６０】
次に、制御部４３０は、ステップ６１７でスケジュール情報にサービス情報を追加する。すなわち、制御部４３０は、スケジュール情報と共にサービス情報を格納する。このとき、制御部４３０は、図１３に示されたように、サービス情報の受信を通知するための通知メッセージを出力してもよい。すなわち、制御部４３０は、ユーザ端末４００のユーザにスケジュール情報の更新を認知させることができる。
【００６１】
最後に、スケジュール情報を検索するための要請が受信されれば、制御部４３０がステップ６１９でこれを感知する。すなわち、入力部４６０を介してスケジュール情報を検索するための要請が受信されれば、制御部４３０がこれを感知する。そして、制御部４３０は、ステップ６２１でスケジュール情報を表示する。このとき、制御部４３０は、スケジュール情報にサービス情報が追加されているか否かを判断する。また、スケジュール情報にサービス情報が追加されていなければ、制御部４３０は、スケジュール情報のみを表示する。一方、スケジュール情報にサービス情報が追加されていれば、制御部４３０は、スケジュール情報と共にサービス情報を表示する。
【００６２】
図１１は、本発明の一実施形態による図９および図１０における情報表示手続を示すフローチャートである。
図１１を参照すれば、制御部４３０は、ステップ７１１でスケジュール情報と共にサービス情報を表示する。例えば、制御部４３０は、図１４に示されたように、スケジュール情報と共にサービス情報を表示する。これにより、ユーザ端末４００のユーザは、スケジュール情報とサービス情報を連係させて把握することができる。すなわち、ユーザ端末４００のユーザは、ユーザの計画に対応する位置ベース情報を確認する。例えば、ユーザ端末４００のユーザは、旅行地に該当する釜山（プサン）の海雲台（ヘウンデ）に海雲台（ヘウンデ）ホテルが存在することを確認する。そして、ユーザ端末４００のユーザは、海雲台（ヘウンデ）ホテルの宿泊価格、連絡先などを確認する。
【００６３】
次に、サービス情報を利用するための要請が受信されれば、制御部４３０がステップ７１３でこれを感知し、ステップ７１５でサービス情報を利用する。このとき、制御部４３０は、ソーシャルネットワーキングサービスを介して他のユーザ端末２４０にサービス情報を送信する。そして、表示されるサービス情報の選択時、制御部４３０は、サービス情報を用いてサービス提供者１４０に接続する。例えば、制御部４３０は、サービス情報の電話番号を用いてサービス提供者１４０に通話を要請する。そして、サービス提供者１４０との通話連結時、制御部４３０は、サービス提供者１４０との通話を制御する。または、制御部４３０は、サービス情報のＥメールアドレスを用いて、Ｅメールを生成してサービス提供者１４０に送信する。または、制御部４３０は、サービス情報のウェブページアドレスを用いて、サービス提供者１４０のウェブページに接続する。これにより、ユーザ端末４００のユーザは、サービス提供者１４０から提供されるが、サービス情報から除外された追加情報を取得する。例えば、ユーザ端末４００のユーザは、海雲台（ヘウンデ）ホテルを予約するか、海雲台（ヘウンデ）ホテルから提供されるクーポンなどを取得する。または、ユーザ端末４００のユーザは、海雲台（ヘウンデ）ホテルの周辺の地域情報などを確認することができる。
【００６４】
本発明によれば、ユーザ端末でスケジュール情報と共に、スケジュール情報と関連する場所に対応する位置ベース情報を連係させて管理することができる。すなわち、ユーザ端末のユーザが別個に情報の検索を行ったり情報記録を行ったりする必要なく、ユーザ端末から容易に位置ベース情報を取得することができる。これにより、ユーザ端末でスケジュール情報に対応して位置ベース情報を自動的に追加して管理することができる。これにより、ユーザ端末でユーザの便宜性を向上させることができ、さらに、ユーザ端末の利用効率性を向上させることができる。
【００６５】
一方、本明細書と図面に開示された本発明の実施形態は、本発明の技術内容を容易に説明し、本発明の理解を助けるために特定例を提示したものであるだけで、本発明の範囲を限定しようとするものではない。すなわち、本発明の技術的思想に基づいた他の変形例が実施可能であることは、本発明が属する技術分野で通常の知識を有する者に明白である。
【符号の説明】
【００６６】
１１０，２１０，３１０，４００  ユーザ端末
１２０，２２０  カレンダーサーバ
１３０，２３０，３３０  登録サーバ
１４０  サービス提供者
２４０  他のユーザ端末
４１０  無線通信部
４２０  メモリ
４３０  制御部
４４０  オーディオ処理部
４５０  表示部
４６０  入力部
【図１】
2013021691.tif 000003
【図２】
2013021691.tif 000004
【図３】
2013021691.tif 000005
【図４】
2013021691.tif 000006
【図５】
2013021691.tif 000007
【図６】
2013021691.tif 000008
【図７】
2013021691.tif 000009
【図８】
2013021691.tif 000010
【図９】
2013021691.tif 000011
【図１０】
2013021691.tif 000012
【図１１】
2013021691.tif 000013
【図１２】
2013021691.tif 000014
【図１３】
2013021691.tif 000015
【図１４】
2013021691.tif 000016